(57)【要約】【課題】モダリティ通信において、モダリティの種類やバージョンが異なっても、より統一化した共通の手順で通信状況の把握やエラー解析を実行することが可能なモダリティ通信解析システム、モダリティ通信解析プログラムおよびモダリティ通信解析方法である。【解決手段】モダリティ通信解析システム１は、モダリティ通信が行われるネットワーク３上のＨＵＢ４ａから通信データを捕捉する通信データ捕捉手段８と、通信データ捕捉手段８により捕捉された通信データのプロトコル解析を実行することにより予め指定され、モダリティ通信に使用されるプロトコルに従う指定規格通信データを抽出するプロトコル解析手段１０とを有する。【選択図】  図１
2005198776.tif 000002
【特許請求の範囲】
【請求項１】
モダリティ通信が行われるネットワーク上のＨＵＢから通信データを捕捉する通信データ捕捉手段と、前記通信データ捕捉手段により捕捉された通信データのプロトコル解析を実行することにより予め指定され、モダリティ通信に使用されるプロトコルに従う指定規格通信データを抽出するプロトコル解析手段とを有することを特徴とするモダリティ通信解析システム。
【請求項２】
モダリティ通信が行われるネットワーク上に設けられたＨＵＢと、このＨＵＢから通信データを捕捉する通信データ捕捉手段と、前記通信データ捕捉手段により捕捉された通信データのプロトコル解析を実行することにより予め指定され、モダリティ通信に使用されるプロトコルに従う指定規格通信データを抽出するプロトコル解析手段とを有することを特徴とするモダリティ通信解析システム。
【請求項３】
前記プロトコル解析手段により抽出された指定規格通信データのエラー解析を実行することによりエラーを検出するエラー解析手段を設けたことを特徴とする請求項１または２記載のモダリティ通信解析システム。
【請求項４】
前記プロトコル解析手段により抽出された指定規格通信データに含まれ、指定規格画像データを生成するための指定規格画像組立データを抽出して指定規格画像データを組み立てる指定規格画像組立手段を設けたことを特徴とする請求項１または２記載のモダリティ通信解析システム。
【請求項５】
前記プロトコル解析手段により抽出された指定規格通信データに含まれ、指定規格画像データを生成するための指定規格画像組立データを抽出して指定規格画像データを組み立てる指定規格画像組立手段と、この指定規格画像組立手段により組み立てられた指定規格画像データを指定された画像フォーマットに変換して指定フォーマット画像データを生成する画像フォーマット変換手段とを設けたことを特徴とする請求項１または２記載のモダリティ通信解析システム。
【請求項６】
前記通信データ捕捉手段により捕捉された通信データから一定時間におけるパケット数の統計をプロトコル別に取ることによりプロトコル別統計を得るプロトコル別統計取得手段を設けたことを特徴とする請求項１または２記載のモダリティ通信解析システム。
【請求項７】
前記プロトコル解析手段により抽出された指定規格通信データから一定時間におけるパケット数の統計をモダリティ別に取ることによりモダリティ別統計を得るモダリティ別統計取得手段を設けたことを特徴とする請求項１または２記載のモダリティ通信解析システム。
【請求項８】
前記通信データ捕捉手段により捕捉された通信データに基いて得られた調査データのうち指定された調査データをインターネットを介してメーカ側のクライアントに送信する調査データ送信手段と、前記通信データ捕捉手段が通信データを捕捉する際のキャプチャ時間を指定するとともに指定された調査データのデータ送信指令を前記調査データ送信手段に与えるキャプチャ時間指定手段とを設けたことを特徴とする請求項１または２記載のモダリティ通信解析システム。
【請求項９】
前記通信データ捕捉手段により捕捉された通信データに基いて得られた調査データをのうち指定された調査データをインターネットを介してメーカ側のクライアントに送信する調査データ送信手段と、前記プロトコル解析手段により抽出された指定規格通信データのエラー解析を実行することによりエラーが検出された場合には、指定された調査データのデータ送信指令を前記調査データ送信手段に与えるエラー解析手段とを設けたことを特徴とする請求項１または２記載のモダリティ通信解析システム。
【請求項１０】
モダリティ通信が行われるネットワーク上のＨＵＢから通信データを捕捉するステップと、捕捉した通信データのプロトコル解析を実行することにより予め指定され、モダリティ通信に使用されるプロトコルに従う指定規格通信データを抽出するステップとを有することを特徴とするモダリティ通信解析方法。
【請求項１１】
コンピュータを、モダリティ通信が行われるネットワーク上のＨＵＢから通信データを捕捉する通信データ捕捉手段および前記通信データ捕捉手段により捕捉された通信データのプロトコル解析を実行することにより予め指定され、モダリティ通信に使用されるプロトコルに従う指定規格通信データを抽出するプロトコル解析手段として機能させることを特徴とするモダリティ通信解析プログラム。
【発明の詳細な説明】
【技術分野】
【０００１】
本発明は、医療現場におけるモダリティ通信において、通信データのプロトコル解析を実行するモダリティ通信解析システム、モダリティ通信解析プログラムおよびモダリティ通信解析方法に関する。
【背景技術】
【０００２】
従来、医療現場で利用されるＣＴ（Computer Tomography）装置やＭＲＩ（Magnetic Resonance Imaging）装置等の生体画像を取得するモニタリング装置（モダリティ）は、検査画像を保存または管理し、検査画像を有効に伝達ないし活用するためのPACS（Picture Archiving and Communications Systems）等の画像管理システムとネットワークにより接続されて各種情報が管理される。PACSにおける画像情報の処理では、モダリティにより取得されたデジタル画像情報の通信用の標準規格であるＤＩＣＯＭ（Digital Imaging and COmmunications in Medicine）といった規格に従って情報処理される。
【０００３】
さらに、各モダリティや画像管理システムは、ネットワークを介して病院内における各種情報を管理する院内管理システムとも接続され、モダリティにより取得された画像情報は院内管理システムと連携させるための共通規格であるＩＨＥ（Integrating Healthcare Enterprise）に従っても情報処理される。
【０００４】
このようなネットワークを利用したモダリティの管理では、モダリティごとに独自の方式による通信ログがPACS等の画像管理システムに記録される。そして、モダリティが設置された医療機関等において現地サービスマンが通信ログを確認することによりモダリティ通信の状況が把握される。
【０００５】
さらに、モダリティのＤＩＣＯＭ通信接続エラーや画像管理システムにおけるＤＩＣＯＭ画像の異常表示のような通信エラーが発生した場合には、現地サービスマンの調査により通信ログが解析され、調査データが取得される。さらに、調査データに基いて通信エラーの内容が把握される。
【０００６】
また、現地サービスマンによる通信エラーの処理が困難な場合には、サポート担当者やモダリティの開発担当者といったメーカ側担当者に通信エラーの調査依頼がなされ、メーカ側担当者が医療機関等に赴いてモダリティの調査が行われる。または、調査データが取得されてメーカ側で調査データに基いて通信エラーが解析される。
【０００７】
尚、このような従来のモダリティ通信のエラー解析手法は、現地サービスマン等の担当者により人の作業として実施されるため、技術文献は存在しない。
【発明の開示】
【発明が解決しようとする課題】
【０００８】
従来のモダリティの通信状況の把握方法や通信エラーの解析方法では、モダリティの種類やごとにバージョンごとに通信ログの表示形式やエラー解析の際の各モダリティ等の操作方法が異なる。また、特定のモダリティのメーカとモダリティの通信先のメーカとが異なる場合には、通信先の通信情報の把握が困難である。さらに、通信ログからは通信データの全てを取得できる訳ではなく、現地サービスマンの通信エラーの解析手順も統一化されていないため、エラー解析のための調査時間が長くなるという問題がある。
【０００９】
また、現地サービスマンにより通信エラーの解析が困難な場合には、現地サービスマンが取得した調査データがメーカ側に転送されて通信エラーの解析が実行されるが、調査データの種類や取得方法が現地サービスマンごとに異なり、ばらつきがあるという問題がある。このため、各現地サービスマンからメーカ側に送られる調査データの統一化により、メーカ側担当者が容易にエラー状況を把握してエラー解析が実行できるようにすることが望まれる。
【００１０】
さらに、現地サービスマンによる調査データの転送でも通信エラーの解析が困難な場合には、サポート担当者やモダリティの開発担当者といったメーカ側担当者がモダリティの設置場所に出向かなければならない。このため、現地サービスマンによりより容易に通信エラー解析を実施することが可能なシステムの開発が望まれる。
【００１１】
本発明はかかる従来の事情に対処するためになされたものであり、モダリティ通信において、モダリティの種類やバージョンが異なっても、より統一化した共通の手順で通信状況の把握やエラー解析を実行することが可能なモダリティ通信解析システム、モダリティ通信解析プログラムおよびモダリティ通信解析方法を提供することを目的とする。
【課題を解決するための手段】
【００１２】
本発明に係るモダリティ通信解析システムは、上述の目的を達成するために、請求項１に記載したように、モダリティ通信が行われるネットワーク上のＨＵＢから通信データを捕捉する通信データ捕捉手段と、前記通信データ捕捉手段により捕捉された通信データのプロトコル解析を実行することにより予め指定され、モダリティ通信に使用されるプロトコルに従う指定規格通信データを抽出するプロトコル解析手段とを有することを特徴とするものである。
【００１３】
また、本発明に係るモダリティ通信解析システムは、上述の目的を達成するために、請求項２に記載したように、モダリティ通信が行われるネットワーク上に設けられたＨＵＢと、このＨＵＢから通信データを捕捉する通信データ捕捉手段と、前記通信データ捕捉手段により捕捉された通信データのプロトコル解析を実行することにより予め指定され、モダリティ通信に使用されるプロトコルに従う指定規格通信データを抽出するプロトコル解析手段とを有することを特徴とするものである。
【００１４】
また、本発明に係るモダリティ通信解析方法は、上述の目的を達成するために、請求項１０に記載したように、モダリティ通信が行われるネットワーク上のＨＵＢから通信データを捕捉するステップと、捕捉した通信データのプロトコル解析を実行することにより予め指定され、モダリティ通信に使用されるプロトコルに従う指定規格通信データを抽出するステップとを有することを特徴とする方法である。
【００１５】
また、本発明に係るモダリティ通信解析プログラムは、上述の目的を達成するために、請求項１１に記載したように、コンピュータを、モダリティ通信が行われるネットワーク上のＨＵＢから通信データを捕捉する通信データ捕捉手段および前記通信データ捕捉手段により捕捉された通信データのプロトコル解析を実行することにより予め指定され、モダリティ通信に使用されるプロトコルに従う指定規格通信データを抽出するプロトコル解析手段として機能させることを特徴とするものである。
【発明の効果】
【００１６】
本発明に係るモダリティ通信解析システム、モダリティ通信解析プログラムおよびモダリティ通信解析方法においては、モダリティ通信において、モダリティの種類やバージョンが異なっても、より統一化した共通の手順で通信状況の把握やエラー解析を実行することができる。
【発明を実施するための最良の形態】
【００１７】
本発明に係るモダリティ通信解析システム、モダリティ通信解析プログラムおよびモダリティ通信解析方法の実施の形態について添付図面を参照して説明する。
【００１８】
図１は本発明に係るモダリティ通信解析システムの機能ブロック図である。
【００１９】
モダリティ通信解析システム１は、病院や医療機関等の現地２におけるＬＡＮ（Local Area Network）等の内部ネットワーク３上に設けられたリピータＨＵＢ４ａと接続される。リピータＨＵＢ４ａには、スイッチングＨＵＢ４ｂを介してＣＴ装置やＭＲＩ装置等の各モダリティ５、各モダリティ５により収集された画像データを処理するPACS等の画像管理システム６および病院内における各種情報を管理する院内管理システム７が接続され、各モダリティ５、画像管理システム６および院内管理システム７間でモダリティ通信を行えるように構成される。
【００２０】
モダリティ通信解析システム１は、コンピュータにモダリティ通信解析プログラムが読込まれることによりコンピュータを、通信データ捕捉手段８、捕捉データデータベース９、プロトコル解析手段１０、解析結果ダンプ表示手段１１、エラー解析手段１２、解析結果データベース１３、指定規格画像組立手段１４、指定規格画像情報データベース１５、指定規格画像表示手段１６、画像フォーマット変換手段１７、指定フォーマット画像情報データベース１８、プロトコル別統計取得手段１９、プロトコル別統計データベース２０、モダリティ別統計取得手段２１、モダリティ別統計データベース２２、統計データ表示手段２３、調査データ送信手段２４、キャプチャ時間指定手段２５として機能させたシステムである。また、コンピュータには、モニタ２６、マウスやキーボード等の入力手段２７およびフロッピー（登録商標）ディスク（Floppy Disk：ＦＤ）等の記録媒体に情報を記録するための記録手段２８が設けられる。
【００２１】
さらに、モダリティ通信解析システム１は、外部ネットワークであるインターネット２９を介してメーカ側３０のクライアント３１と接続される。また、メーカ側３０のクライアント３１にも必要に応じてモダリティ通信解析プログラムが読込まれ、現地２におけるモダリティ通信解析システム１と同様な、または現地２におけるモダリティ通信解析システム１のうち必要な機能を備えたモダリティ通信解析システム１が構築される。このため、任意数の各医療機関等の現地２にそれぞれ設けられたモダリティ通信解析システム１とメーカ側３０のモダリティ通信解析システム１との間でインターネット２９を介して通信可能に構成される。
【００２２】
通信データ捕捉手段８は、各モダリティ５、画像管理システム６あるいは院内管理システム７間においてモダリティ通信が行われる内部ネットワーク３を介して送受信される通信データをリピータＨＵＢ４ａから捕捉するネットワークキャプチャとしての機能と、捕捉した通信データを捕捉データデータベース９に書き込む機能とを有する。また、通信データ捕捉手段８には、必要に応じて捕捉した通信データのパケットをモニタ２６に与えてダンプ表示させる機能が備えられる。
【００２３】
ここで、通信データ捕捉手段８がリピータＨＵＢ４ａから通信データの捕捉を開始または終了するタイミングは、入力手段２７からの捕捉開始指令や捕捉終了指令またはキャプチャ時間指定手段２５から与えられたキャプチャ時間により設定される。
【００２４】
このため、捕捉データデータベース９には、通信データが時系列に蓄積される。
【００２５】
プロトコル解析手段１０は、捕捉データデータベース９から通信データを読込んでプロトコル解析を実行することにより予め指定され、モダリティ通信に使用されるプロトコルに従う指定規格通信データを抽出する機能と、抽出した指定規格通信データを解析結果データベース１３に書き込む機能とを有する。
【００２６】
ここで、指定規格通信データとしては、モダリティ通信用のデジタル画像の標準規格であるＤＩＣＯＭや院内管理システム７における通信規格であるＩＨＥ等のプロトコルに従う通信データが挙げられる。
【００２７】
このため、解析結果データベース１３には、指定規格通信データが時系列に蓄積される。
【００２８】
解析結果ダンプ表示手段１１は、解析結果データベース１３から指定規格通信データを読込んでモニタ２６に与えて表示させる機能を有する。また、解析結果ダンプ表示手段１１には必要に応じて指定規格通信データにＰＤＵ（Protocol Data Unit）単位にヘッダ情報や所要の情報を付加し、ＰＤＵごとに指定規格通信データを時系列に表示させる機能が備えられる。
【００２９】
エラー解析手段１２は、解析結果データベース１３から指定規格通信データを読込んでエラー解析を実行することによりエラーを検出する機能と、エラー解析の結果および検出したエラーの内容をモニタ２６に与えて表示させる機能とを有する。すなわち、エラー解析手段１２は、指定規格通信データに含まれるタグ（Ｔａｇ）情報をモニタ２６に与えて指定規格通信データと併せて表示させるとともに、タグ情報にＤＩＣＯＭ規約違反等のエラーがある場合には、エラー内容をモニタ２６に与えてマーキング等のシンボルとともに表示させる機能を有する。
【００３０】
さらに、エラー解析手段１２には、必要に応じてタグ情報からＤＩＣＯＭ規約違反等のエラーが検出された場合には、調査データ送信手段２４に指定規格通信データやその他のデータのうち指定されたデータを調査データとしてメーカ側３０に送信すべき旨の要求を与える機能が備えられる。
【００３１】
指定規格画像組立手段１４は、解析結果データベース１３から指定規格通信データを読込んで、指定規格通信データにＤＩＣＯＭ画像データ等の指定規格画像データを生成するための指定規格画像組立データが含まれる場合には、指定規格画像組立データに相当するＰＤＵを抽出して指定規格画像データを組み立てる機能と、組み立てた指定規格画像データを指定規格画像情報データベース１５に書き込む機能とを有する。
【００３２】
このため、指定規格画像情報データベース１５には、ＤＩＣＯＭ画像データ等の指定規格画像データが保存される。
【００３３】
指定規格画像表示手段１６は、指定規格画像情報データベース１５に保存されたＤＩＣＯＭ画像データ等の指定規格画像データを読込んで表示可能な形式に変換してモニタ２６に与えることにより指定規格画像を表示させる指定規格画像ビューワとしての機能を有する。
【００３４】
画像フォーマット変換手段１７は、指定規格画像情報データベース１５に保存された指定規格画像データを読込んでＪＰＥＧやＢＭＰ等の指定された画像フォーマットに変換して指定フォーマット画像データを生成する機能を有する。さらに画像フォーマット変換手段１７には、生成した指定フォーマット画像データを指定フォーマット画像情報データベース１８に書き込む機能およびモニタ２６に与えることにより表示させる機能が備えられる。
【００３５】
このため、指定フォーマット画像情報データベース１８には、ＪＰＥＧやＢＭＰ等の画像フォーマットに変換されたＤＩＣＯＭ画像データ等の指定フォーマット画像データが保存される。
【００３６】
プロトコル別統計取得手段１９は、捕捉データデータベース９から時系列の通信データを読込んで、プロトコル別に一定時間におけるパケット数の統計を取ることにより時系列のプロトコル別統計を得る機能と、得られたプロトコル別統計をプロトコル別統計データベース２０に書き込む機能とを有する。
【００３７】
このため、プロトコル別統計データベース２０には、特定あるいは複数の医療機関等の現地２の内部ネットワーク３を流れるデータ全体のプロトコル別統計が時系列に蓄積される。
【００３８】
モダリティ別統計取得手段２１は、解析結果データベース１３から時系列の指定規格通信データを読込んで、モダリティ５別に一定時間におけるパケット数の統計を取ることにより時系列のＩＰ（Internet Protocol）アドレスまたはＭＡＣ（Media Access Control）アドレスごとのモダリティ別統計を得る機能と、得られたモダリティ別統計をモダリティ別統計データベース２２に書き込む機能とを有する。
【００３９】
このため、モダリティ別統計データベース２２には、各モダリティ５に送受信される通信データのモダリティ別統計が時系列に蓄積される。
【００４０】
統計データ表示手段２３は、プロトコル別統計データベース２０およびモダリティ別統計データベース２２にそれぞれ保存されたプロトコル別統計およびモダリティ別統計を読込んでモニタ２６に与えることによりグラフ表示または一覧表示させる機能を有する。この際、統計データ表示手段２３には、必要に応じて送受信されるパケット数の多いモダリティ５、例えばパケット数が一定数を超えるモダリティ５やパケット数が多い順に一定順位内のモダリティ５を識別してモニタ２６に表示させる機能が備えられる。
【００４１】
キャプチャ時間指定手段２５は、通信データ捕捉手段８がリピータＨＵＢ４ａから通信データの捕捉を開始して終了するまでのキャプチャ時間を指定して通信データ捕捉手段８に与える機能と、所要の時刻に捕捉データデータベース９、解析結果データベース１３、指定規格画像情報データベース１５、指定規格画像情報データベース１５、プロトコル別統計データベース２０、モダリティ別統計データベース２２にそれぞれ保存された通信データ、指定規格通信データ、指定規格画像データ、指定フォーマット画像データ、プロトコル別統計、モダリティ別統計等の通信データに基いて得られた調査データのうち指定された調査データのデータ送信指令を調査データ送信手段２４に与える機能を有する。
【００４２】
調査データ送信手段２４は、キャプチャ時間指定手段２５または入力手段２７から受けたデータ送信指令に基いて捕捉データデータベース９、解析結果データベース１３、指定規格画像情報データベース１５、指定規格画像情報データベース１５、プロトコル別統計データベース２０、モダリティ別統計データベース２２から通信データ、指定規格通信データ、指定規格画像データ、指定フォーマット画像データ、プロトコル別統計、モダリティ別統計等の調査データのうち指定された調査データを読込んでインターネット２９を介してｅ−ｍａｉｌやＦＴＰ（File Transfer Protocol）等の送信手段によりメーカ側３０のクライアント３１に送信する機能を有する。
【００４３】
また、調査データ送信手段２４は、エラー解析手段１２から指定規格通信データ送信要求を受けた場合には、解析結果データベース１３から指定された指定規格通信データを読込んでインターネット２９を介してｅ−ｍａｉｌやＦＴＰ等の送信手段によりメーカ側３０のクライアント３１に送信する機能を有する。
【００４４】
さらに、記録手段２８により、捕捉データデータベース９、解析結果データベース１３、指定規格画像情報データベース１５、指定規格画像情報データベース１５、プロトコル別統計データベース２０、モダリティ別統計データベース２２から通信データ、指定規格通信データ、指定規格画像データ、指定フォーマット画像データ、プロトコル別統計、モダリティ別統計等の調査データのうち必要な調査データをＦＤ等の記録媒体に記録することができるように構成される。
【００４５】
次にモダリティ通信解析システム１の作用について説明する。
【００４６】
図２は、図１に示すモダリティ通信解析システム１により内部ネットワーク３上の通信データを解析する際の流れを示すフローチャートであり、図中Ｓに数字を付した符号はフローチャートの各ステップを示す。
【００４７】
まずステップＳ１において、例えばＣＴ装置やＭＲＩ装置等のモダリティ５により画像データが収集されてＤＩＣＯＭやＩＨＥ等の規格の通信データとして内部ネットワーク３を介して画像管理システム６や院内管理システム７に転送される。
【００４８】
一方、ステップＳ２において、キャプチャ時間指定手段２５または入力手段２７からキャプチャ時間が指定されて通信データ捕捉手段８に与えられ、通信データ捕捉手段８は、リピータＨＵＢ４ａから各モダリティ５、画像管理システム６あるいは院内管理システム７間において内部ネットワーク３を介して送受信される通信データのパケットを捕捉する。さらに、通信データ捕捉手段８は、必要に応じて捕捉した通信データのパケットをモニタ２６に与えてダンプ表示させる。
【００４９】
図３は、図１に示すモダリティ通信解析システム１により捕捉される通信データの構造の一例を示す概念図である。
【００５０】
図３に示すように、通信データ４０は、複数のパケット４１で構成され、各パケット４１はＭＡＣアドレス４２、ＩＰアドレス４３、ＴＣＰヘッダ４４およびＤＡＴＡ４５で構成される。
【００５１】
そして、通信データ捕捉手段８は捕捉した通信データ４０の各パケット４１を捕捉データデータベース９に書き込み、捕捉データデータベース９には通信データ４０が時系列に蓄積される。
【００５２】
次に、ステップＳ３において、プロトコル解析手段１０は、捕捉データデータベース９から通信データを読込んで、通信データがＤＩＣＯＭやＩＨＥ等の指定プロトコルに従っているか否かについてプロトコル解析することにより、指定プロトコルに従う指定規格通信データを抽出する。
【００５３】
さらに、プロトコル解析手段１０は、抽出した指定規格通信データを解析結果データベース１３に書き込み、解析結果データベース１３には、指定規格通信データが時系列に蓄積される。
【００５４】
次に、ステップＳ４において、解析結果ダンプ表示手段１１は、解析結果データベース１３から指定規格通信データを読込んでモニタ２６に与えて表示させる。例えば、解析結果ダンプ表示手段１１は、ＰＤＵごとに指定規格通信データを時系列にモニタ２６に表示させる。また、解析結果ダンプ表示手段１１には必要に応じて指定規格通信データにＰＤＵ単位にヘッダ情報を付加する。
【００５５】
さらに、エラー解析手段１２が、解析結果データベース１３から指定規格通信データを読込んで、指定規格通信データに含まれるタグ（Ｔａｇ）情報をモニタ２６に与えて表示させるとともに、タグ情報にＤＩＣＯＭ規約違反等のエラーがある場合には、エラー内容をモニタ２６に与えてエラー表示させる。さらに、エラー解析手段１２は、タグ情報にエラーがある場合には、対応する指定規格通信データのメーカ側３０のクライアント３１への送信要求を調査データ送信手段２４に与える。
【００５６】
このため、各モダリティ５が設置された医療機関等の現地２において現地サービスマンによりモダリティ通信の通信状況の調査やエラー解析をより画一的かつ容易に短時間で実行することができる。
【００５７】
図４は、図１に示すモダリティ通信解析システム１により作成されてヘッダ情報およびＴａｇ情報とともにダンプ表示される指定規格通信データの一例を示す図である。
【００５８】
図４に示すように指定規格通信データ５０は、解析結果ダンプ表示手段１１によりＰＤＵごとにヘッダ情報５１が付加されて時系列のタグ情報５２によりモニタ２６に表示される。各タグ情報５２は、タグおよびタグの内容とともにそれぞれ解析結果ダンプ表示手段１１により作成された属性、名称、分類情報、データ長が必要に応じて付加されて表示される。さらにタグ情報５２にＤＩＣＯＭ規約違反等のエラーがある場合には、エラー表示５３が付加される。
【００５９】
図４において例えば、タグ（Ｔａｇ）（０００８、０００５）の内容（Ｖａｌｕｅ）は、”ＩＳＯ＿ＩＲ  １００”であり、属性（Ｇｒｐ）は[ＩＤ]、名称（Ａｔｔｒｉｂｕｔｅ  Ｎａｍｅ）は「Ｓｐｅｃｉｆｉｃ  Ｃｈａｒａｃｔｅｒ  Ｓｅｔ」、分類情報（ＶＲ）はＣＳ、データ長（Ｌｅｎｇｔｈ）が１０であることが確認できる。
【００６０】
また、例えばタグ（０００８、１１５０）にはエラー表示「２」が表示され、エラーが存在することが確認できる。このため、現地サービスマンは、より早くエラーの有無を判断することができる。
【００６１】
次に、ステップＳ５において、指定規格画像組立手段１４は、解析結果データベース１３から指定規格通信データを読込んで、指定規格通信データにＤＩＣＯＭ画像データ等の指定規格画像データを生成するための指定規格画像組立データが含まれる場合には、指定規格画像組立データに相当するＰＤＵを抽出して指定規格画像データを組み立てる。
【００６２】
さらに、指定規格画像組立手段１４は、組み立てた指定規格画像データを指定規格画像情報データベース１５に書き込み、指定規格画像情報データベース１５には、ＤＩＣＯＭ画像データ等の指定規格画像データが保存される。
【００６３】
また、指定規格画像表示手段１６は、指定規格画像情報データベース１５に保存されたＤＩＣＯＭ画像データ等の指定規格画像データを読込んで表示可能な形式に変換してモニタ２６に与えることにより指定規格画像を表示させる。このため、現地サービスマンは、ＤＩＣＯＭ画像等の指定規格画像を確認することにより、より容易にモダリティ通信の調査やエラー解析を実行することができる。
【００６４】
さらに、画像フォーマット変換手段１７は、ＪＰＥＧやＢＭＰ等の指定された画像フォーマットでＤＩＣＯＭ画像等の指定規格画像を表示させる必要がある場合には、指定規格画像情報データベース１５に保存された指定規格画像データを読込んで指定された画像フォーマットに変換して指定フォーマット画像データを生成する。そして、画像フォーマット変換手段１７は、指定フォーマット画像データをモニタ２６に与えて表示させるとともに指定フォーマット画像情報データベース１８に書き込む。
【００６５】
このため、指定規格画像の画像ビューワやブラウザを用いることなく汎用コンピュータのモニタ２６によりＪＰＥＧやＢＭＰ等の指定された画像フォーマットでＤＩＣＯＭ画像等の指定規格画像を表示させることができる。
【００６６】
一方、ステップＳ６において、プロトコル別統計取得手段１９は、捕捉データデータベース９から時系列の通信データを読込んで、プロトコル別に一定時間、例えば１〜２秒間におけるパケット数の統計を取ることにより時系列のプロトコル別統計を得る。そして、プロトコル別統計取得手段１９は、得られたプロトコル別統計をプロトコル別統計データベース２０に書き込む。
【００６７】
また、モダリティ別統計取得手段２１は、解析結果データベース１３から時系列の指定規格通信データを読込んで、モダリティ５別に一定時間におけるパケット数の統計を取ることにより時系列のＩＰアドレスまたはＭＡＣアドレスごとのモダリティ別統計を得る。そして、モダリティ別統計取得手段２１は、得られたモダリティ別統計をモダリティ別統計データベース２２に書き込む。
【００６８】
このため、プロトコル別統計データベース２０およびモダリティ別統計データベース２２には、それぞれプロトコル別統計およびモダリティ別統計が保存される。
【００６９】
そして、統計データ表示手段２３は、プロトコル別統計データベース２０およびモダリティ別統計データベース２２からプロトコル別統計およびモダリティ別統計を読込んでモニタ２６に与えることによりグラフ表示させる。併せて統計データ表示手段２３は、プロトコル別統計データベース２０およびモダリティ別統計データベース２２からプロトコル別統計およびモダリティ別統計を読込んでモニタ２６に与えることにより、内部ネットワーク３全体、ＩＰアドレスごとおよびＭＡＣアドレスごとに各プロトコル別のパケット数を一覧表示させる。
【００７０】
この際、統計データ表示手段２３は、必要に応じて送受信されるパケット数の多いモダリティ５、例えばパケット数が一定数を超えるモダリティ５やパケット数が多い順に一定順位内のモダリティ５を識別してモニタ２６に表示させる。
【００７１】
このため、現地サービスマンは、プロトコル別統計およびモダリティ別統計から内部ネットワーク３により大きな通信負荷をかけているモダリティ５やその他の要素を把握することができる。さらに、統計を取る際の時間を１〜２秒間と短く設定することにより、現地サービスマンは、リアルタイムにプロトコル別統計およびモダリティ別統計の時間的な推移を把握することができる。
【００７２】
次に、ステップＳ７において、調査データ送信手段２４は、キャプチャ時間指定手段２５または入力手段２７から受けたデータ送信指令に基いて捕捉データデータベース９、解析結果データベース１３、指定規格画像情報データベース１５、指定規格画像情報データベース１５、プロトコル別統計データベース２０、モダリティ別統計データベース２２から通信データ、指定規格通信データ、指定規格画像データ、指定フォーマット画像データ、プロトコル別統計、モダリティ別統計等の調査データのうち指定された調査データを読込んでインターネット２９を介してｅ−ｍａｉｌやＦＴＰ等の送信手段によりメーカ側３０のクライアント３１に送信する。
【００７３】
また、調査データ送信手段２４は、エラー解析手段１２から指定規格通信データ送信要求を受けた場合には、解析結果データベース１３から指定された指定規格通信データを読込んでインターネット２９を介してｅ−ｍａｉｌやＦＴＰ等の送信手段によりメーカ側３０のクライアント３１に送信する。
【００７４】
このため、メーカ側３０のクライアント３１により、サポート担当者やモダリティ５の開発担当者といったメーカ側担当者が現地２に赴くことなく通信データ、指定規格通信データ、指定規格画像データ、指定フォーマット画像データ、プロトコル別統計、モダリティ別統計等の調査データに基づいて現地２と同様に画像データ等の調査データを得て確認することができる。
【００７５】
さらに、記録手段２８により、捕捉データデータベース９、解析結果データベース１３、指定規格画像情報データベース１５、指定規格画像情報データベース１５、プロトコル別統計データベース２０、モダリティ別統計データベース２２から通信データ、指定規格通信データ、指定規格画像データ、指定フォーマット画像データ、プロトコル別統計、モダリティ別統計等の調査データのうち必要な調査データがＦＤ等の記録媒体に記録される。
【００７６】
このため、現地２のモダリティ通信解析システム１とメーカ側３０のクライアント３１とがインターネット２９により接続されてない場合であっても記録媒体を介してメーカ側担当者が現地２に赴くことなく画像データ等の調査データを得て確認することができる。
【００７７】
以上のようなモダリティ通信解析システム１によれば、医療機関での内部ネットワーク３を利用したモダリティ通信において、モダリティ５の種類やバージョンが異なっても、より統一化した共通の手順で通信状況の把握やエラー解析を実行することができる。
【００７８】
すなわち、モダリティ通信解析システム１によれば、リピータＨＵＢ４ａから通信データを捕捉してプロトコル解析を実行する構成であるため、ＤＩＣＯＭやＩＨＥ等のプロトコルに従うモダリティ通信であれば、モダリティ５の種類やバージョンによらず、共通の手順および機器の操作により標準化された記述内容で通信状況の把握やエラー解析を実行できる。このため、他のメーカのモダリティ５との通信であっても、通信状況の把握やエラー解析を行うことができる。
【００７９】
この結果、他のメーカのモダリティ５との通信であっても、自社メーカ側３０が担当するモダリティ５の通信状況の調査時間を短縮できるのみならず、現地サービスマンごとの調査手法や手順のばらつきを吸収して、より統一化して短時間に通信状況の把握やエラー解析を行うことができる。
【００８０】
また、モダリティ通信解析システム１によれば、通信データを捕捉することにより現地で得られたエラー解析結果や通信状況等の調査データが画一的に画面表示されて参照できるため、現地サービスマンによる調査が容易となる。この際、通信データとともにＤＩＣＯＭ画像等の指定規格画像を表示できるため、通信状況やエラーの内容をより容易に確認することができる。
【００８１】
さらに、現地サービスマンにより調査が困難な場合であっても、調査データを指定規格画像データとともにＦＤ等の記録媒体に記録することや、インターネット２９を利用したＥ−ｍａｉｌ等の情報送信手段でメーカ側３０に送信することができるため、調査データの報告が容易となり調査時間の短縮に繋がる。この結果、サポート担当者やモダリティ開発担当者等のメーカ側担当者の現地への出張回数を低減させることができる。
【００８２】
また、メーカ側担当者がエラー解析結果とともに指定規格画像データを参照できるため、通信エラー内容と指定規格画像データとを比較して指定規格画像データが正常であるか否かを容易に判断し、より短時間で調査できる。
【００８３】
さらに、モダリティ通信解析システム１では、通信データのキャプチャ時間を指定することができるため、所要の時刻に所要の調査データをメーカ側３０に送信するように設定すれば、現地サービスマンが不在であってもメーカ側担当者が遠隔からモダリティ通信を監視することができる。
【００８４】
また、モダリティ通信解析システム１では、得られた各種調査データを記録する構成であるため、エラーにより内部ネットワーク３上で送受信できなかった画像を再度送受信させることができる。さらに、モダリティ通信解析システム１を一時的なバックアップ装置としても使用できる。このため画像管理システム６や院内管理システム７が故障中であっても、各モダリティ５から送信された通信データを記録するとともにＤＩＣＯＭ画像データ等の画像データを表示させることができる。
【００８５】
特にモダリティ通信解析システム１では、ＤＩＣＯＭ画像等の指定規格画像データをＪＰＥＧ等の画像フォーマットに変換して保存できるため、指定規格画像専用のブラウザやビューワによらず、所要の画像フォーマットの画像データを表示可能な端末があれば画像を表示させることができる。さらに、指定規格画像データをＪＰＥＧ等の画像フォーマットに変換することによりデータサイズを小さくすることが可能となり、インターネット２９を介した送信も容易となる。
【００８６】
また、モダリティ通信解析システム１では、内部ネットワーク３から捕捉した通信データの統計をプロトコル別またはモダリティ５別にとる構成であるため、内部ネットワーク３の負荷を把握することができる。そして、内部ネットワーク３の構成や各モダリティ５における通信データのバックアップスケジュールの見直しを図ることができる。
【００８７】
尚、モダリティ通信解析システム１において、通信データをリピータＨＵＢ４ａからでなくスイッチングＨＵＢ４ｂから捕捉するように構成してもよい。また、通信データは内部ネットワーク３のみならず、インターネット２９等の外部ネットワークから捕捉するように構成してもよい。
【００８８】
また、モダリティ通信解析システム１において、モダリティ通信解析システム１の諸機能の一部を省略してもよく、現地２とメーカ側３０とに分散させてもよい。例えば現地２では、通信データを捕捉して記録するのみとしてプロトコル解析をメーカ側３０で実行するように構成してもよい。
【図面の簡単な説明】
【００８９】
【図１】本発明に係るモダリティ通信解析システムの機能ブロック図。
【図２】図１に示すモダリティ通信解析システムにより内部ネットワーク上の通信データを解析する際の流れを示すフローチャート。
【図３】図１に示すモダリティ通信解析システムにより捕捉される通信データの構造の一例を示す概念図。
【図４】図１に示すモダリティ通信解析システムにより作成されてヘッダ情報およびＴａｇ情報とともにダンプ表示される指定規格通信データの一例を示す図。
【符号の説明】
【００９０】
１  モダリティ通信解析システム
２  現地
３  内部ネットワーク
４ａ  リピータＨＵＢ
４ｂ  スイッチングＨＵＢ
５  モダリティ
６  画像管理システム
７  院内管理システム
８  通信データ捕捉手段
９  捕捉データデータベース
１０  プロトコル解析手段
１１  解析結果ダンプ表示手段
１２  エラー解析手段
１３  解析結果データベース
１４  指定規格画像組立手段
１５  指定規格画像情報データベース
１６  指定規格画像表示手段
１７  画像フォーマット変換手段
１８  指定フォーマット画像情報データベース
１９  プロトコル別統計取得手段
２０  プロトコル別統計データベース
２１  モダリティ別統計取得手段
２２  モダリティ別統計データベース
２３  統計データ表示手段
２４  調査データ送信手段
２５  キャプチャ時間指定手段
２６  モニタ
２７  入力手段
２８  記録手段
２９  インターネット
３０  メーカ側
３１  クライアント
【図１】
2005198776.tif 000003
【図２】
2005198776.tif 000004
【図３】
2005198776.tif 000005
【図４】
2005198776.tif 000006